(57)【要約】【課題】携帯型枕を提供する。【解決手段】携帯型枕１は、アーチ状に湾曲した枕本体部２、および、枕本体部２を覆う筒状部材３を備える。枕本体部２は、湾曲される前は板状であり、厚板状のクッション材およびクッション材の下側に重ねられた薄板状の支持板を備える。携帯型枕１を立体的な枕形状とする際には、枕本体部２の短辺の間の距離を短くするように、枕本体部２を大きく湾曲させ、枕本体部２が筒状部材３に挿入される。枕本体部２は支持板の復元力により、筒状部材３の内側にて広がり、枕本体部２の短辺の間の距離が一定の距離になると、筒状部材３により枕本体部２がアーチ状に湾曲した状態にて固定される。このように、筒状部材３が枕本体部２を覆うことにより、携帯性に優れた携帯型枕１を容易に立体的な枕形状とすることができる。【選択図】図１
2011244990.tif 000002
【特許請求の範囲】
【請求項１】
携帯型枕であって、
矩形の板状である枕本体部と、
前記枕本体部の互いに平行な一対の辺の間の距離を所定の距離に固定することにより前記枕本体部をアーチ状とするアーチ形成手段と、
を備えることを特徴とする携帯型枕。
【請求項２】
請求項１に記載の携帯型枕であって、
前記枕本体部が、前記アーチ形成手段による曲げに対して復元力を有することを特徴とする携帯型枕。
【請求項３】
請求項２に記載の携帯型枕であって、
前記枕本体部が、
板状のクッション材と、
前記クッション材の下側または上側に重ねられた薄板状の支持板と、
を備えることを特徴とする携帯型枕。
【請求項４】
請求項２または３に記載の携帯型枕であって、
前記アーチ形成手段が、帯状の部材にて形成された筒状部材であり、
前記枕本体部を湾曲させて前記筒状部材に挿入することにより、前記枕本体部がアーチ状に維持されることを特徴とする携帯型枕。
【請求項５】
請求項４に記載の携帯型枕であって、
前記筒状部材の外面が、樹脂、布または紙であることを特徴とする携帯型枕。
【請求項６】
請求項４または５に記載の携帯型枕であって、
前記筒状部材の外周の長さが変更可能であることを特徴とする携帯型枕。
【請求項７】
請求項１ないし６のいずれかに記載の携帯型枕であって、
前記枕本体部の前記一対の辺の長さが、１８２ｍｍ以上２５７ｍｍ以下であり、他の一対の辺の長さが、２５７ｍｍ以上３６４ｍｍ以下であることを特徴とする携帯型枕。
【発明の詳細な説明】
【技術分野】
【０００１】
本発明は、持ち運び可能な携帯型枕に関する。
【背景技術】
【０００２】
従来より、様々な形状の携帯型枕が提案されている。特許文献１に開示される携帯用の小型枕は、円筒形状のクッション材およびクッション材を包むカバーを備え、使用者が、机上にて仮眠を取る際に、クッション材の孔に腕を挿入することにより、うつ伏せ姿勢であっても睡眠をとることができる。
【０００３】
特許文献２に開示される机上用仮眠枕は、平板状の基台、基台を支える支脚および支脚を基台に固定するロック部を備え、机上用仮眠枕では、使用者が基台の下に腕を挿入した状態にて使用しても、腕への圧迫が防止される。
【先行技術文献】
【特許文献】
【０００４】
【特許文献１】特開２００７−１８１５０７号公報
【特許文献２】特開２００８−２５９７８７号公報
【発明の概要】
【発明が解決しようとする課題】
【０００５】
ところで、特許文献１では、使用者の頭部からの押圧により小型枕が大きく窪み、腕が圧迫されてしまう。また、枕の高さが低くなるため、体にも負担が掛かる。クッション材を厚くして腕等への負担を軽減しようとすると、枕が大型化してしまう。特許文献２では、枕の部品点数が多く、枕の組み立てに時間を要する。
【０００６】
本発明は、上記課題に鑑みなされたものであり、携帯性に優れ、かつ、容易に枕形状にすることができる携帯型枕を提供することを目的としている。
【課題を解決するための手段】
【０００７】
請求項１に記載の発明は、携帯型枕であって、矩形の板状である枕本体部と、前記枕本体部の互いに平行な一対の辺の間の距離を所定の距離に固定することにより前記枕本体部をアーチ状とするアーチ形成手段とを備える。
【０００８】
請求項２に記載の発明は、請求項１に記載の携帯型枕であって、前記枕本体部が、前記アーチ形成手段による曲げに対して復元力を有する。
【０００９】
請求項３に記載の発明は、請求項２に記載の携帯型枕であって、前記枕本体部が、板状のクッション材と、前記クッション材の下側または上側に重ねられた薄板状の支持板とを備える。
【００１０】
請求項４に記載の発明は、請求項２または３に記載の携帯型枕であって、前記アーチ形成手段が、帯状の部材にて形成された筒状部材であり、前記枕本体部を湾曲させて前記筒状部材に挿入することにより、前記枕本体部がアーチ状に維持される。
【００１１】
請求項５に記載の発明は、請求項４に記載の携帯型枕であって、前記筒状部材の外面が、樹脂、布または紙である。
【００１２】
請求項６に記載の発明は、請求項４または５に記載の携帯型枕であって、前記筒状部材の外周の長さが変更可能である。
【００１３】
請求項７に記載の発明は、請求項１ないし６のいずれかに記載の携帯型枕であって、前記枕本体部の前記一対の辺の長さが、１８２ｍｍ以上２５７ｍｍ以下であり、他の一対の辺の長さが、２５７ｍｍ以上３６４ｍｍ以下である。
【発明の効果】
【００１４】
本発明によれば、携帯性に優れた携帯型枕を提供することができ、かつ、携帯型枕は容易に立体的な枕形状とすることができる。請求項２の発明では、携帯型枕を安定したアーチ状に容易に形成することができ、請求項３の発明では、簡単な構造で適度な剛性を有するアーチ状を確保することができる。請求項４の発明では、枕本体部を容易に所定の大きさのアーチ状とすることができ、請求項６の発明では、携帯型枕を所望の高さに設定することができる。請求項７の発明では、携帯型枕の持ち運びがさらに容易となる。
【図面の簡単な説明】
【００１５】
【図１】第１の実施の形態に係る携帯型枕を示す図である。
【図２】携帯型枕の使用例を示す図である。
【図３】枕本体部の断面図である。
【図４】枕本体部の平面図である。
【図５】枕本体部の底面図である。
【図６】筒状部材の平面図である。
【図７】筒状部材の正面図である。
【図８】湾曲した状態の枕本体部を示す図である。
【図９】携帯型枕の正面図である。
【図１０】第２の実施の形態に係る携帯型枕を示す図である。
【図１１】筒状部材を展開した正面図である。
【図１２】筒状部材を展開した平面図である。
【図１３】第３の実施の形態に係る携帯型枕を示す図である。
【図１４】携帯型枕を展開した正面図である。
【図１５】携帯型枕を展開した平面図である。
【図１６】携帯型枕を展開した底面図である。
【発明を実施するための形態】
【００１６】
図１は、本発明の第１の実施の形態に係る携帯型枕１を示す図である。携帯型枕１は、アーチ状に湾曲した枕本体部２、および、枕本体部２を覆う筒状部材３を備える。図２は、携帯型枕１の使用例を示す図である。図２に示すように、使用者は、机上において、携帯型枕１の内側に腕を挿入した状態にて、うつ伏せにて仮眠を取ることができる。携帯型枕１は、他の様々な姿勢にて使用可能であり、例えば、携帯型枕１を縦向きまたは横向きにした状態にて両腕に抱えるようにして使用してもよい。
【００１７】
図３は、枕本体部２の断面図である。枕本体部２は、厚板状のクッション材２１、および、クッション材２１の下側に重ねられた薄板状の支持板２２を備える。本実施の形態では、枕本体部２の厚さはおそよ１５ｍｍである。なお、厚さが９ｍｍ、１２ｍｍ、２０ｍｍ等のものが交換可能な他の枕本体部２として準備されてもよい。枕本体部２では、クッション材２１は一定の弾力性、すなわち、反発性を有するスポンジ状の樹脂材料（例えば、ポリオレフィンフォーム、ポリウレタンフォーム、ゴムスポンジ）にて形成される。支持板２２は適度な剛性を有する樹脂（例えば、ポリプロピレン、ポリカーボネート）にて形成される。クッション材２１と支持板２２とは、接着剤や両面テープ等により接着される。なお、リベット、ねじ、糸等を用いてクッション材２１と支持板２２とが固定されてもよい。
【００１８】
図４および図５は、枕本体部２の平面図および底面図であり、湾曲していない状態の枕本体部２を示す。図４に示すように、クッション材２１を平面視した際の形状は矩形である。図５に示す支持板２２も、平面視した際の形状は矩形であり、支持板２２は、クッション材２１よりも僅かに小さい。本実施の形態では、枕本体部２はＪＩＳＰ０１３８に基づくＡ４サイズにほぼ等しい。
【００１９】
図６は、筒状部材３の平面図であり、枕本体部２に取り付けられる前の状態を示している。筒状部材３は、ポリプロピレン等の樹脂材料のフィルムにて形成され、筒状部材３を平面視した際の形状は矩形である。図７は、筒状部材３の正面図である。筒状部材３は、帯状部材の長手方向における両端部が、接着剤等を用いて接続されることにより形成される。筒状部材の開口３１の全周の長さ、すなわち、帯状部材の長手方向における長さは、図４に示すクッション材２１の長辺２１１よりも長く、かつ、長辺２１１の長さの２倍よりも短い。好ましくは、帯状部材の長さは、長辺２１１の１．４以上１．８倍以下である。筒状部材３の図６における上下方向の長さ、すなわち、両側の開口３１の間の距離は、図４に示す枕本体部２の短辺２１２の長さに対して８０％以上１００％以下の範囲である。
【００２０】
携帯型枕１を組み立てる際には、まず、図８に示すように、図４のクッション材２１の短辺２１２の間の距離を短くするように、枕本体部２を大きく湾曲させる。次に、クッション材２１の長辺２１１の一方が図７に示す筒状部材３の開口３１に向けられて枕本体部２が筒状部材３に挿入される。
【００２１】
枕本体部２の湾曲状態を解放すると、枕本体部２は支持板２２の復元力により、筒状部材３の内側にて瞬時に広がる。このとき、図９に示すように、クッション材２１の短辺２１２の間の距離が一定の距離となると、枕本体部２が筒状部材３を外側に向かって押圧し、筒状部材３に張力が生じる。その結果、枕本体部２がアーチ状に湾曲した状態に維持される。
【００２２】
以上、第１の実施の形態に係る携帯型枕１について説明したが、携帯型枕１では、枕本体部２が筒状部材３にて覆われて枕本体部２の短辺２１２の間の距離が固定される。これにより、枕本体部２は容易に一定の大きさの安定したアーチ状となる。その結果、携帯型枕１を容易に立体的な枕状とすることが実現される。枕本体部２は板状であり、かつ、支持板２２が筒状部材３による曲げに対して復元力を有することから、安定したアーチ形状を容易に形成することができる。さらに、携帯型枕１の使用時には、枕本体部２と筒状部材３との間に摩擦力が発生するため、枕本体部２に対する筒状部材３のずれが防止され、携帯型枕１のアーチ形状がより安定して維持される。アーチ形状が安定することにより、使用者が携帯型枕１の内側に腕を挿入した状態にて携帯型枕１を使用しても、腕に負担が生じることが防止される。
【００２３】
携帯型枕１では、薄板状の支持板２２が設けられることにより、簡単な構造にて枕本体部２を適度な剛性を有するアーチ形状とすることができる。携帯型枕１では、筒状部材３として、射出成型等により、予め筒状に形成されたものが利用されてもよい。携帯型枕１では、板部および板部を支持する複数の脚部により形成される携帯型枕に比べて、部品点数を少なくすることができ、携帯性に優れる。
【００２４】
枕本体部２は、例えば、ＪＩＳＰ０１３８に基づくＢ４サイズやＢ５サイズであってもよい。これらの大きさの間の大きさであれば、鞄に入れやすく、持ち運びが容易となる。すなわち、枕本体部では、辺２１２の長さが１８２ｍｍ以上２５７ｍｍ以下であり、長辺２１１の長さが２５７ｍｍ以上３６４ｍｍ以下であることが好ましい。
【００２５】
携帯型枕１は、薄型であり、携帯性に優れ、机の引き出し等に容易に収納することができることから、職場において休憩時間に休息や仮眠を取る際に便利である。また、アーチ形状が安定してるため、机に前向きにより掛かる姿勢であっても体への負担が低減される。
【００２６】
上記効果は、以下の他の実施の形態に係る携帯型枕においても同様である。
【００２７】
図１０は、第２の実施の形態に係る携帯型枕１ａを示す図である。携帯型枕１ａは、図９に示す携帯型枕１の筒状部材３とは異なる構造の筒状部材３ａを備える。携帯型枕１ａの他の構造は、携帯型枕１と同様である。以下、同様の構成には、同符号を付して説明する。図１１および図１２は、筒状部材３ａを展開した状態にて示す正面図および平面図である。筒状部材３ａは、帯状部材３３および帯状部材３３の長手方向における両端部に設けられた一対の面ファスナ部３４を備え、帯状部材３３の長手方向における長さは、図４に示す枕本体部２の長辺２１１よりも長く、かつ、長辺２１１の長さの２倍よりも短い。好ましくは、帯状部材３３の長さは、枕本体部２の長辺２１１の１．４以上１．８倍以下である。帯状部材３３には、ポリプロピレン等の樹脂材料のフィルムが用いられる。
【００２８】
携帯型枕１ａを立体的な枕形状とする際には、まず、一対の面ファスナ部３４を互いに貼り合わせることにより、筒状部材３ａが形成される。筒状部材３ａでは、面ファスナ部３４の貼付位置を変更することにより、筒状部材３ａの外周の長さ、すなわち、開口３１（図１０参照）の全周の長さを変更することができる。次に、図４の枕本体部２の短辺２１２の間の距離を短くするように枕本体部２を大きく湾曲させた状態にて、枕本体部２が筒状部材３ａに挿入される。
【００２９】
枕本体部２の湾曲状態を解放すると、枕本体部２は筒状部材３ａの内側にて広がる。枕本体部２は、筒状部材３ａを外側に向かって押圧して筒状部材３ａに張力が生じ、図１０に示すように枕本体部２がアーチ状に湾曲した状態に維持される。
【００３０】
第２の実施の形態においても、筒状部材３ａにより枕本体部２の短辺２１２の間の距離が固定されるため、枕本体部２を容易に所定の大きさのアーチ状とすることができる。携帯型枕１ａでは、面ファスナ部３４の貼付位置を調節することにより、携帯型枕１ａの高さを変更することができる。
【００３１】
図１３は、第３の実施の形態に係る携帯型枕１ｂを示す図である。携帯型枕１ｂは、図１０に示す筒状部材３ａとほぼ同構造の筒状部材３ｂ、および、図４と同構造の枕本体部２を備える。図１４は、携帯型枕１ｂの正面図であり、携帯型枕１ｂを展開した状態にて示している。図１５および図１６は、図１４に対応する携帯型枕１ｂの平面図および底面図である。図１４および図１５に示すように、帯状部材３３の一部は枕本体部２の上面と重なる。また、図１４および図１６に示すように、帯状部材３３の長手方向の一方の端部が枕本体部２の下面の短辺２１２近傍に接着される。なお、携帯型枕１ｂを持ち運ぶ際には、帯状部材３３が枕本体部２を包むように、帯状部材３３の枕本体部２から突出した部位が枕本体部２に向けて折り返される。
【００３２】
携帯型枕１ｂを枕状とする際には、一対の面ファスナ部３４を互いに貼り合わせることにより、図１３に示すように、筒状部材３ｂが形成されるとともに、枕本体部２が湾曲した状態にて固定される。第３の実施の形態においても、携帯性に優れた携帯型枕１ｂを容易に立体的な枕形状とすることができる。携帯型枕１ｂでは、第２の実施の形態と同様に、面ファスナ部３４の貼付位置を調節することにより、携帯型枕１ｂの高さを容易に変更することができる。
【００３３】
以上、本発明の実施の形態について説明したが、本発明は上記実施の形態に限定されるものではなく、様々な変更が可能である。例えば、枕本体部２では、クッション材２１の上側に支持板２２が設けられてもよい。上記実施の形態では、クッション材として、厚板状の低反発材料や発泡ゴムが用いられてもよい。また、紙や布等の繊維材料が用いられてもよく、この場合、例えば、繊維材料を多層状に重ねることにより、厚さが確保される。クッション材２１の材質を変更することにより、携帯型枕の弾力性を容易に変更することができる。
【００３４】
支持板２２は、薄板状のゴムが利用されてもよく、さらに、樹脂以外に竹、籐、木材、金属、ガラス繊維を板状に加工したもの等が利用されてもよい。支持板２２の材質を変更することにより、携帯型枕の全体的な反発力を容易に変更することができる。支持板２２の形状は、略矩形状であれば、角部が大きく丸められてもよい。
【００３５】
上記実施の形態では、筒状部材が布により形成されてもよく、例えば、麻等を用いた織物や編み物が利用可能である。また、筒状部材は、帯状の樹脂部材や金属部材の外面に布または紙が張り合わされることにより形成されてもよく、布には、地域ブランドとして価値の高い織物が用いられてよい。紙としては、油取り紙等の和紙が用いられてもよい。筒状部材としては、多数の孔が形成された金属製のパンチングシートが用いられてもよい。
【００３６】
さらには、筒状部材の材料として伝統的繊維や新素材を用いることにより、その素材の広告が兼ねられてもよい。携帯型枕は、筒状部材、枕本体部等に企業、イベント、観光地等の広告を掲載することにより、広告媒体としても利用可能である。
【００３７】
上記実施の形態の携帯型枕は簡単な構造であることから、枕本体部２および筒状部材の材質や形状等の設計変更およびその製造も容易である。
【００３８】
上記実施の形態では、枕本体部２のアーチ形状の強度が十分に確保されるのであれば、筒状部材に代えて複数の環状の紐部材が湾曲された枕本体部２の外周に取り付けられてもよい。この場合であっても、携帯型枕は、枕本体部２の互いに平行な一対の辺の間の距離が所定の距離に固定されるため、容易に立体的形状とすることができる。第２および第３の実施の形態では、面ファスナ部３４に代えてボタンやフック等が帯状部材３３に設けられてもよく、この場合であっても、複数箇所の固定位置を設けることにより、筒状部材３ａ，３ｂの外周の長さが変更可能となる。
【００３９】
携帯型枕では、枕本体部２の短辺２１２の間の距離を一定に保つのみで安定したアーチ形状が得られるのであれば、枕本体部２は曲げに対して復元力を有する必要はない。また、筒状部材に代えて、両短辺２１２の間の距離を固定する金属板、複数の金属棒、フック付きのひも部材等が用いられてもよい。枕本体部２の互いに平行な一対の辺の間の距離を所定の距離に固定するアーチ形成手段としては、様々なものが採用されてよい。
【産業上の利用可能性】
【００４０】
本発明は、持ち運び可能な携帯型枕に利用可能である。
【符号の説明】
【００４１】
１，１ａ，１ｂ    携帯型枕
２  枕本体部
３，３ａ，３ｂ    筒状部材
２１    クッション材
２２    支持板
３３    帯状部材
２１１    （クッション材の）長辺
２１２    （クッション材の）短辺
【図１】
2011244990.tif 000003
【図２】
2011244990.tif 000004
【図３】
2011244990.tif 000005
【図４】
2011244990.tif 000006
【図５】
2011244990.tif 000007
【図６】
2011244990.tif 000008
【図７】
2011244990.tif 000009
【図８】
2011244990.tif 000010
【図９】
2011244990.tif 000011
【図１０】
2011244990.tif 000012
【図１１】
2011244990.tif 000013
【図１２】
2011244990.tif 000014
【図１３】
2011244990.tif 000015
【図１４】
2011244990.tif 000016
【図１５】
2011244990.tif 000017
【図１６】
2011244990.tif 000018